(57)【要約】【課題】小型であって、作業効率が良好であり、しかも安価で簡便な計数器を提供する。【解決手段】計数器Cは、平面形状が前後に長い略長方形である箱型計数盤１０と、計数盤１０を載置するための、平面形状が前後に長い略長方形である載置台２０と、載置台２０の前方端部に設けられた偏平じょうご状のホッパー３０とを備えてなる。計数盤１０は、貯蔵部１１、計数部１２、隆起部１３、把手部１４および囲い部１５を備えてなる。貯蔵部１１、計数部１２および隆起部１３は、平面形状が略「ロ」字形の枠状縁部１０ａにより把手部１４から区画されている。貯蔵部１１は、計数に供する円盤状の錠剤を多数個、貯蔵するための部分である。計数部１２は、貯蔵部１１の前方側に設けられてこれらの錠剤を計数するための部分である。隆起部１３は、貯蔵部１１と計数部１２とを仕切るためのかまぼこ形部分である。【選択図】図１
2005190157.tif 000002
【特許請求の範囲】
【請求項１】
所定の３次元形状および大きさに製剤化された医薬用または食品用の成形物を貯蔵するための貯蔵部と成形物を通過させて計数するための複数の貫通孔からなる計数部とが設けられた計数盤、この計数盤をスライド可能に載置するための載置面部を有している載置台、およびこの載置台の一部に設けられて計数盤の計数部における貫通孔を通過した成形物を集めて落下させるためのホッパーを備えてなる計数器。
【請求項２】
載置台の載置面部が、ホッパーへ向かって下り傾斜となるように構成されている請求項１に記載の計数器。
【請求項３】
計数盤に、スライド用の車輪が設けられている請求項１に記載の計数器。
【請求項４】
載置台に、計数盤スライド用の案内溝が設けられている請求項１に記載の計数器。
【請求項５】
計数盤のスライドを任意位置で停止させるためのストッパーをさらに備えている請求項１に記載の計数器。
【請求項６】
ストッパーが、計数盤の計数部における貫通孔の個数よりも少ない所定個数の成形物をホッパーに入れるためのものである請求項５に記載の計数器。
【請求項７】
計数盤の計数部における貫通孔の一部を開放可能に閉鎖するための閉鎖具をさらに備えている請求項１に記載の計数器。
【請求項８】
計数盤に、貯蔵部と計数部とを仕切るための隆起部が設けられている請求項１に記載の計数器。
【請求項９】
載置台の載置面部が、成形物の色とは異なる色からなる部分を有している請求項１に記載の計数器。
【請求項１０】
成形物が、錠剤である請求項１に記載の計数器。
【発明の詳細な説明】
【技術分野】
【０００１】
本発明は、計数器に関するものであり、さらに詳しくは、所定の３次元形状および大きさに製剤化された医薬用または食品用の成形物（以下、単に「成形物」という）を計数するための簡便な計数器に関するものである。このような成形物の例としては、錠剤、丸剤、薬用カプセル、飴玉、球状のガム・チョコレートなどが挙げられる。
【背景技術】
【０００２】
従来、この種の計数器としては、例えば特許文献１に示されたようなものが知られている。
【特許文献１】特開２０００−２９６８０２号公報
【０００３】
特許文献１に示された計数器（錠剤等用計数供給装置）は、計数速度が速いものの、大型であるうえ高価でもあるため、設置の場所や費用が限られている工場や事業所などで成形物を計数するような場合には適していない。
【０００４】
そこで、そのような場合には、簡便な「羽子板状」計数器が広く使われている。この計数器は、略長方形の平板からなり、成形物が嵌まり込む凹みが所定個数（通常は数十個〜１００個程度）設けられた略長方形の載置部と、この載置部に連なる把手部とを備えているものである。
【０００５】
このような「羽子板状」計数器にあっては、使用者が載置部を略水平にして一方の手で把手部を持ち、他方の手で、多数個の成形物を載置部に載置した後に余分な成形物を載置部から払い落とすことで、凹みに所定個数の成形物が残る。したがって、「羽子板状」計数器は、１回の計数量が前記所定個数程度であるときには適している。
【０００６】
しかしながら、１回の計数量が前記所定個数よりも増えると、計数回数を増やすかあるいは載置部をより大きくして凹みの個数をより多く設けなければならず、その結果、計数時間が多くかかったり計数器が重くなったりして作業効率が悪くなる、という問題点がある。
【発明の開示】
【発明が解決しようとする課題】
【０００７】
本発明は、このような実情に鑑みてなされたものであり、その課題は、小型であって、作業効率が良好であり、しかも安価で簡便な計数器を提供することである。
【課題を解決するための手段】
【０００８】
本発明によれば、所定の３次元形状および大きさに製剤化された医薬用または食品用の成形物を貯蔵するための貯蔵部と成形物を通過させて計数するための複数の貫通孔からなる計数部とが設けられた計数盤、この計数盤をスライド可能に載置するための載置面部を有している載置台、およびこの載置台の一部に設けられて計数盤の計数部における貫通孔を通過した成形物を集めて落下させるためのホッパーを備えてなる計数器が提供される。
【０００９】
この計数器の使用方法について説明する。使用者は、まず、計数盤が載置台の定位置に載置されていることを確認し、計量すべき成形物を多数個、貯蔵部に貯蔵する。次いで、貯蔵部の成形物を、専用ブラシや専用シャベルなどの簡単な操作具により計数部へ適量移動させてほぼ一様にならす。すると、成形物は、計数部において、すべての貫通孔に１つずつ嵌まり込んだ第１グループと、この第１グループの上に載りあるいは計数部における貫通孔のない部分に載ることで貫通孔に嵌まり込んでいない第２グループとに分かれる。
【００１０】
次いで、使用者は、第２グループの成形物を前記操作具によりすべて貯蔵部へ返却する。そして、計数盤を載置台の載置面部の上でホッパー（例えば載置台の前方端部などに設けられている）へ向かう方向へスライドさせると、第１グループの成形物は、計数部における貫通孔に嵌まり込んだ状態で計数盤とともに載置台の載置面部上をスライドして順次、ホッパーを臨む個所（例えば載置面部の端縁）に至る。第１グループの成形物は、その後、その個所で貫通孔から出て、ホッパーに入る。ホッパーに入った成形物の個数は、計数盤の貫通孔の個数またはそれよりも少ない所定の個数に相当する、計数ずみの値である。ホッパーに入った成形物は、ホッパーの下方に配された包装用の袋や箱などの中へ落下する。
【００１１】
本発明に係る計数器は、前記のような計数盤と載置台とホッパーとを備えてなり、簡単な操作具による成形物の移動操作と計数盤のスライド操作とにより成形物の計数を行うものであるので、小型であって、作業効率が良好であり、しかも安価である。
【００１２】
本発明に係る計数器は、載置台の載置面部が、ホッパーへ向かって下り傾斜となるように構成されているのが好ましい。載置台の載置面部がこのように構成されている計数器によれば、計数盤の計数部における貫通孔に嵌まり込んだ成形物は、計数盤の前記スライド操作の際、載置面部をホッパーへ向かっていっそう滑りやすくなるので、より確実かつスムーズに計数を行うことができる。
【００１３】
本発明に係る計数器は、計数盤にスライド用の車輪が、適宜箇所に適宜数、設けられているのが好ましい。このような車輪が設けられた計数盤を備えた計数器によれば、計数盤のスライド操作をいっそう容易にかつ確実に行うことができる。
【００１４】
本発明に係る計数器は、載置台に、計数盤スライド用の案内溝が、適宜箇所に適宜数、設けられているのが好ましい。このような案内溝が設けられた載置台を備えた計数器によれば、計数盤のスライド操作をいっそう容易にかつ確実に行うことができる。
【００１５】
本発明に係る計数器は、ホッパーへ向かう方向（例えば前方）への計数盤のスライドを任意位置で停止させるためのストッパーをさらに備えているのが好ましい。このようなストッパーをさらに備えた計数器によれば、計数盤のホッパー方向へのスライドを任意位置――例えば、全貫通孔のうちの、計数すべき成形物の個数に対応した個数の前方側貫通孔だけが載置台の載置面部により閉鎖されることなく開放状態にあり、残りの後方側貫通孔が載置台の載置面部により閉鎖される位置――で停止させ、それによって、計数盤の計数部におけるすべての貫通孔に嵌まり込んだ成形物の一部を載置台の載置面部上に置いたまま、全貫通孔の個数よりも少ない所定個数の成形物をホッパーに入れることができる。
【００１６】
このようなストッパーは例えば、載置台の両側面のそれぞれから上方へ突出する状態に設けられた載置台側係止部と、計数盤の両側面のそれぞれに設けられて載置台側係止部と相まって計数盤のスライドを任意位置で停止させるための計数盤側係止部とからなるものとして形成することができる。
【００１７】
本発明に係る計数器は、ホッパーへ向かう方向とは逆の方向（例えば後方）への計数盤のスライドを任意位置で停止させるためのストッパーをさらに備えているのが好ましい。このようなストッパーをさらに備えた計数器によれば、計数盤のその方向へのスライドを任意位置――例えば、計数盤の後方端面と載置台の後方端面とが面一になるような位置――で停止させ、それによって、計数盤の一部（例えば後方端面）が計数器の近傍（例えば後方）にある物体に衝突するおそれなどを防止することができる。
【００１８】
このようなストッパーは例えば、載置台２０の後方端部に上方突出状に形成することができる。
【００１９】
本発明に係る計数器は、計数盤の計数部における貫通孔の一部を開放可能に閉鎖するための閉鎖具をさらに備えているのが好ましい。このような閉鎖具をさらに備えた計数器によれば、計数盤の計数部における貫通孔の一部をこの閉鎖具で開放可能に閉鎖することにより、計数部に置かれた成形物の一部が貫通孔に嵌まり込むのを阻止し、所定個数の成形物をホッパーに入れることができる。
【００２０】
このような閉鎖具は例えば、所定寸法の長さおよび幅を有し計数部に接着されて所定個数の貫通孔を閉鎖する接着テープとして、あるいは所定寸法の長さおよび幅を有するとともに計数部における所定個数の貫通孔に嵌合されてそれらの貫通孔を閉鎖する所定個数の突起部を有する板状体として形成することができる。
【００２１】
本発明に係る計数器は、計数盤に、貯蔵部と計数部とを仕切るための隆起部が設けられているのが好ましい。このような隆起部が設けられた計数器によれば、貯蔵部に盛り上がった状態に貯蔵された成形物の一部が計数部に不意に入り込んで、前記操作具による成形物の余分な返却操作を余儀なくされるおそれを、隆起部によって未然に防止することができる。
【００２２】
本発明に係る計数器は、載置台の載置面部が成形物の色とは異なる色からなる部分を有しているのが好ましい。載置台の載置面部がこのように構成されている計数器によれば、載置台が成形物の色と同じかあるいはよく似た色からなる載置面部を有している場合に比べて、成形物が貫通孔に嵌まり込んでいるかどうかの判断を簡単かつ確実に行うことができる。
【００２３】
本発明に係る計数器で計数される成形物としては例えば、錠剤、丸剤、薬用カプセルなどの医薬用成形物や、飴玉、球状のガム・チョコレートなどの食品用成形物が挙げられる。
【発明の効果】
【００２４】
本発明によれば、小型であって、作業効率が良好であり、しかも安価で簡便な計数器を提供することができる。
【発明を実施するための最良の形態】
【００２５】
以下、本発明を実施するための最良の形態について、図面を用いて説明する。図１は本発明の一実施例である計数器を示す全体斜視図である。図２はこの計数器における１つの構成要素である計数盤を示す平面図である。図３はその計数盤の底面図である。図４はこの計数器における他の構成要素である計数盤およびホッパーを示す平面図である。図５はこの計数器の正面図である。図６はこの計数器の右側面図である。
【００２６】
図１〜図３において、所定の３次元形状および大きさに製剤化された医薬用成形物としての錠剤を計数するための計数器Cは、平面形状が前後に長い略長方形である箱型計数盤１０と、この計数盤１０を載置するための、平面形状が前後に長い略長方形である載置台２０と、この載置台２０の前方端部に設けられた偏平じょうご状のホッパー３０とを備えてなる。
【００２７】
計数盤１０は、貯蔵部１１、計数部１２、隆起部１３、把手部１４および囲い部１５を備えてなる。貯蔵部１１、計数部１２および隆起部１３は、平面形状が略「ロ」字形の枠状縁部１０ａにより把手部１４から区画されている。
【００２８】
貯蔵部１１は、計数に供する円盤状の錠剤（直径が８ｍｍ、厚さが６ｍｍ、重さが０．２５ｇである灰色のもの。図示略）を多数個（例えば約１０００〜約２０００個）貯蔵するための部分である。計数部１２は、貯蔵部１１の前方側に設けられてこれらの錠剤を計数するための部分である。隆起部１３は、貯蔵部１１と計数部１２とを仕切るためのかまぼこ形部分である。
【００２９】
把手部１４は、計数部１２の前方側に設けられ、この計数盤１０を手でスライドさせるための部分である。把手部１４の略中央個所には、その個所を貫通する横長楕円状の把手孔１４ａが１つ設けられている。囲い部１５は、透明材料からなり、縁部１０ａの後方部分から左右両側方部分にかけて貯蔵部１１を臨むように設けられた、平面形状が略「コ」字形の部分である。
【００３０】
計数盤１０は、縦の全長が約３７．０ｃｍ、横の全長が約２９．０ｃｍ、載置台２０の下面から囲い部１５の後縁の最上部までの高さが約１３．５ｃｍに形成されている。枠状縁部１０ａは、前後方向の内法が約２９．０ｃｍ、左右方向の内法が約２３．０ｃｍ、縁幅が約１０ｍｍ、貯蔵部１１の上面または計数部１２の上面からの高さが約５ｍｍに形成されている。把手部１４は、左右方向の長さが約２５．０ｃｍ、前後方向の長さが約６．０ｃｍ、厚さが約１．０ｃｍ、把手孔１４ａの左右長さが約８．０ｃｍ、前後長さが約２．０ｃｍに形成されている。
【００３１】
計数部１２は、錠剤のそれぞれを通過させて計数するための複数の貫通孔１２ａからなっている。これらの貫通孔１２ａはこの例では、１列に１３個または１４個ずつ、前後に１０列設けられ、合計１３５個からなっている。それぞれの貫通孔１２ａは、直径が１０ｍｍ、深さが８ｍｍに形成されている。隆起部１３は、その最大隆起高さが５ｍｍ、左右方向の長さ（隆起長さ）が約２３．０ｃｍ、前後方向の長さ（隆起幅）が約５．０ｃｍに形成されている。
【００３２】
計数盤１０はその下面全体が平坦にされている。また、図１〜図３に示すように、計数盤１０の左右両側面にはそれぞれ係止部１６・１６が設けられている。それぞれの係止部１６は、平面形状が「Ｌ」字形である板状のものであり、一方の垂直片が計数盤１０の側面における後方寄り個所に固定され、その面に直交する他方の垂直片１６ａが同個所から突出している。それぞれの係止部１６は、後記の第２ストッパー５０における一方の構成要素をなすものである。
【００３３】
図３に示すように、計数盤１０は、その後方端部寄り個所に左右一対のスライド用車輪１７・１７が内蔵されている。すなわち、これらの車輪１７・１７は、計数盤１０の下面に設けられた左右一対の袋孔１８・１８の内部にゆるく嵌められて回転軸１９・１９に回転可能に軸支され、一部が計数盤１０の下面から露出している。
【００３４】
次に、載置台２０は、図４にその全体を示すように、計数盤１０をスライド可能に載置するための載置面部２１を有している。載置面部２１は、載置台２０の略長方形上面全体の約３分の１の表面積を占める平坦な前半部分２１ａと、この前半部分２１ａに面一に連なり、上面全体の約３分の２の表面積を占める平坦な後半部分２１ｂとからなっている。前半部分２１ａは薄緑色に構成され、後半部分２１ｂは白色に構成されている。また、載置面部２１は、後方端部から前方端部へかけてわずかに下り傾斜となるように構成されている。
【００３５】
そして、載置面部２１の後半部分２１ｂには、左右一対の案内溝２２・２２が前後方向に延びるように設けられている。これらの案内溝２２・２２は、計数盤１０の車輪１７・１７が嵌まり込んで車輪１７・１７の回転によって計数盤１０を前後にスライドさせるためのものである。また、載置台２０の後方端部には上方突出状の第１ストッパー２３が設けられ、計数盤１０の後方へのスライドが第１ストッパー２３によって定位置（第１ホームポジション）で停止されるようになっている。
【００３６】
図１、図５および図６に示すように、載置台２０にはさらに、左右両側面のそれぞれの略中央個所に固定されかつ一部分が同個所から上方へ突出する状態に係止部２４・２４が設けられている。それぞれの係止部２４は、後記の第２ストッパー５０における他方の構成要素をなすものである。
【００３７】
すなわち、それぞれの係止部２４は、前後方向に長い略長方形の下半部と、この下半部の上方へ連なる上半部とからなっている。係止部２４の下半部には、前後方向に延びる略長方形の長孔２４ａが設けられている。そして、下半部は、この長孔２４ａに嵌められた一対の蝶ねじ２５・２５によって載置台２０の同個所に固定位置調節可能にねじ止めされている。係止部２４の上半部は、その下方部分が載置台２０の同個所に接している。
【００３８】
上半部は、その上方部分がさらに、載置台２０の上面側縁に接する１つの水平片２４ｂと、この水平片２４ｂに連なって上方へ突出する２つの垂直片２４ｃ・２４ｄとからなっている。これらの垂直片２４ｃ・２４ｄは、互いに直交する一体のものであり、載置台２０の側面に対して直交関係にある垂直片２４ｃと、載置台２０の側面に対して平行関係にある垂直片２４ｄとからなる。
【００３９】
そして、図１および図６に示すように、計数盤１０のそれぞれの係止部１６と、載置台２０のそれぞれの係止部２４とで、第２ストッパー５０が構成され、計数盤１０の前方へのスライドが第２ストッパー５０によって定位置（第２ホームポジション）で停止されるようになっている。すなわち、計数盤１０が前記第１ホームポジションから前方へスライドして、その係止部１６における垂直片１６ａが載置台２０の垂直片２４ｃと当接することで、計数盤１０がその第２ホームポジションで停止されるのである。
【００４０】
この第２ホームポジションは、この例では、計数盤１０の計数部１２における全１０列（１３５個）の貫通孔１２ａのうち、前方側の３列（４０個）の貫通孔１２ａだけが載置台２０の載置面部２１により閉鎖されることなく開放状態にあり、後方側の７列（９５個）の貫通孔１２ａが載置面部２１により閉鎖される位置に設定されている。この第２ホームポジションは、必要に応じて、載置台２０のそれぞれの係止部２４において蝶ねじ２５・２５の緩め／締め付け操作を行うことにより、前方または後方へ適宜移動させることができる。
【００４１】
なお、載置台２０の係止部２４・２４における垂直片２４ｄ・２４ｄは、計数盤１０の左右方向への余分な移動（ガタつき）を規制しながら計数盤１０を前後方向へ案内するために用いられる。
【００４２】
さて、図１および図４〜図６に示すように、載置台２０の前方端部に設けられた偏平じょうご状ホッパー３０は、下すぼまり袋状の本体部３０ａと、この本体部３０ａの上方後部をなす帯状のメッシュ部３０ｂと、本体部３０ａの下端から下方へ突出する筒状の排出部３０ｃとからなっており、そのメッシュ部３０ｂの上縁で載置台２０の前方端部に貼り付けられている。
【００４３】
ホッパー３０の本体部３０ａは、計数盤１０の計数部１２における貫通孔１２ａを通過した錠剤を集めて落下させるための部分である。メッシュ部３０ｂは、貫通孔１２ａを通過した錠剤から発生した微粉末を本体部３０ａに入れることなく外部へ落下させるための部分である。排出部３０ｃは、本体部３０ａに入った錠剤を下方に配された包装用の袋や箱などの中へ落下させるための部分である。
【００４４】
次に、この計数器Cの使用方法について説明する。使用者は、まず、計数盤１０が載置台２の第１ホームポジションに載置されていることを確認し、計量すべき錠剤を多数個、貯蔵部１１に貯蔵する。次いで、貯蔵部１１の錠剤を、専用ブラシ（図示略）により計数部１２へ適量移動させてほぼ一様にならす。
【００４５】
すると、錠剤は、計数部１２において、すべての貫通孔１２ａに１つずつ嵌まり込んだ第１グループと、この第１グループの上に載りあるいは計数部１２における貫通孔１２ａのない部分に載ることで貫通孔１２ａに嵌まり込んでいない第２グループとに分かれる。
【００４６】
次いで、使用者は、第２グループの錠剤を前記専用ブラシによりすべて貯蔵部１１へ返却する。その後、計数部１２に第１グループの錠剤が存在している計数盤１０を、載置台２０の載置面部２１の上で前方へスライドさせて、第２ストッパー５０によって第２ホームポジションで停止させる。
【００４７】
このような操作によって、計数部１２における第１グループの錠剤は、計数部１２における貫通孔１２ａに嵌まり込んだ状態で計数盤１０とともに載置台２０の載置面部２１上をスライドして順次、載置面部２１の端縁に至り、その後、その端縁で貫通孔１２ａから出て、最後にはホッパー３０に入る。
【００４８】
ホッパー３０に入った錠剤の個数は、計数盤１０の全貫通孔１２ａのうち、前方側の３列の貫通孔１２ａに相当する、計数ずみの値（４０個）である。ホッパー３０に入った錠剤は、排出部３０ｃを経て、下方に配された包装用の袋や箱などの中へ落下する。
【００４９】
本発明の一実施例であるこの計数器Cは、計数盤１０と載置台２０とホッパー３０とを備えてなり、簡単な操作具である専用ブラシによる錠剤の移動操作と計数盤１０のスライド操作とにより錠剤の計数を行うものであるので、小型であって、作業効率が良好であり、しかも安価である。
【００５０】
また、この計数器Cは、載置台２０の載置面部２１が、ホッパー３０へ向かって下り傾斜となるように構成されている。したがって、計数盤１０の計数部１２における貫通孔１２ａに嵌まり込んだ錠剤は、計数盤１０の前方へのスライド操作の際、載置面部２１をホッパー３０へ向かっていっそう滑りやすくなるので、より確実かつスムーズに計数を行うことができる。
【００５１】
さらに、この計数器Cには、計数盤１０の後方端部寄り個所に左右一対のスライド用車輪１７・１７が内蔵されているとともに、載置面部２１の後半部分２１ｂに左右一対の案内溝２２・２２が設けられている。したがって、計数盤１０のスライド操作をいっそう容易にかつ確実に行うことができる。
【００５２】
加えて、この計数器Cには、第１ストッパー２３および第２ストッパー５０が設けられている。したがって、計数盤１０の後方へのスライドが第１ストッパー２３によって第１ホームポジションで停止され、計数盤１０の後方端面が計数器Cの後方にある物体に衝突するおそれなどを防止することができるとともに、計数盤１０の前方へのスライドが第２ストッパー５０によって第２ホームポジションで停止され、計数盤１０の計数部１２におけるすべての貫通孔１２ａに嵌まり込んだ錠剤の一部を載置台２０の載置面部２１上に置いたまま、全貫通孔１２ａの個数よりも少ない所定個数の錠剤をホッパー３０に入れることができる。
【００５３】
そのうえ、この計数器Cには、計数盤１０に、貯蔵部１１と計数部１２とを仕切るための隆起部１３が設けられている。したがって、貯蔵部１１に盛り上がった状態に貯蔵された錠剤の一部が計数部１２に不意に入り込んで、前記操作具による錠剤の余分な返却操作を余儀なくされるおそれを、隆起部１３によって未然に防止することができる。
【００５４】
しかも、この計数器Cは、載置台２０における載置面部２１の前半部分２１ａが薄緑色に構成され、後半部分２１ｂが白色に構成されている。したがって、灰色の錠剤が計数盤１０の計数部１２における貫通孔１２ａに嵌まり込んでいるかどうかの判断を簡単かつ確実に行うことができる。
【図面の簡単な説明】
【００５５】
【図１】図１は本発明の一実施例である計数器を示す全体斜視図である。
【図２】図２は図１の計数器における１つの構成要素である計数盤を示す平面図である。
【図３】図３は図２の計数盤の底面図である。
【図４】図４は図１の計数器における他の構成要素である計数盤およびホッパーを示す平面図である。
【図５】図５は図１の計数器の正面図である。
【図６】図６は図１の計数器の右側面図である。
【符号の説明】
【００５６】
１０    計数盤
１１    貯蔵部
１２    計数部
１２ａ  貫通孔
１３    隆起部
１４    把手部
１５    囲い部
１６    係止部
１７    車輪
１８    袋孔
１９    回転軸
２０    載置台
２１    載置面部
２１ａ  前半部分
２１ｂ  後半部分
２２    案内溝
２３    第１ストッパー
２４    係止部
２５    蝶ねじ
３０    ホッパー
３０ａ  本体部
３０ｂ  メッシュ部
３０ｃ  排出部
５０    第２ストッパー
【図１】
2005190157.tif 000003
【図２】
2005190157.tif 000004
【図３】
2005190157.tif 000005
【図４】
2005190157.tif 000006
【図５】
2005190157.tif 000007
【図６】
2005190157.tif 000008